(57)【要約】【課題】走査電極及び維持電極を駆動する統合ボードのインピーダンス成分増大の不具合を解消し、装置を小型化することができるプラズマ表示装置及びその駆動方法を提供する。【解決手段】維持電極を基準電圧（０Ｖ）でバイアスした状態のままで、第１サブフィールドのアドレス期間で、走査電極に第１走査パルス（ＶｓｃＬ１）を印加して、第１サブフィールドで発光する放電セルを選択する段階と、第１サブフィールドの維持期間で、走査電極に維持放電パルス（Ｖｓ、−Ｖｓ）を交互に印加する段階と、第２サブフィールドのアドレス期間で、走査電極に第２走査パルス（ＶｓｃＬ２）を印加して、第２サブフィールドで発光しない放電セルを選択する段階と、第２サブフィールドの維持期間で、走査電極に維持放電パルス（−Ｖｓ、Ｖｓ）を交互に印加する段階と、を含んで駆動することを特徴とする。【選択図】図４
2006338010.tif 000002
【特許請求の範囲】
【請求項１】
複数の第１電極と、複数の第２電極と、前記第１電極及び前記第２電極と交差する方向に形成される複数の第３電極と、を備えるプラズマ表示装置を駆動するプラズマ表示装置の駆動方法において；
第１サブフィールドのアドレス期間で、前記第１電極を第１電圧でバイアスした状態で、前記第２電極に第２電圧を有する第１走査パルスを印加して、前記第１サブフィールドで発光する放電セルを選択する段階と、
前記第１サブフィールドの維持期間で、前記第１電極を前記第１電圧でバイアスした状態で、前記第２電極に第３電圧及び前記第３電圧より低い第４電圧を交互に印加する段階と、
第２サブフィールドのアドレス期間で、前記第１電極を前記第１電圧でバイアスした状態で、前記第２電極に前記第２電圧より高い第５電圧を有する第２走査パルスを印加して、前記第２サブフィールドで発光しない放電セルを選択する段階と、
前記第２サブフィールドの維持期間で、前記第１電極を前記第１電圧でバイアスした状態で、前記第２電極に第６電圧及び前記第６電圧より高い第７電圧を交互に印加する段階と、
を含むことを特徴とするプラズマ表示装置の駆動方法。
【請求項２】
前記第２走査パルスの幅は、前記第１走査パルスの幅より狭いことを特徴とする請求項１に記載のプラズマ表示装置の駆動方法。
【請求項３】
前記第５電圧は、前記第４電圧より高いことを特徴とする請求項１または２に記載のプラズマ表示装置の駆動方法。
【請求項４】
前記第１サブフィールドのリセット期間で、前記第１電極を前記第１電圧でバイアスした状態で、前記第２電極の電圧を第８電圧まで漸進的に増加させた後、第９電圧まで漸進的に減少させることを特徴とする、請求項１〜３のいずれかに記載のプラズマ表示装置の駆動方法。
【請求項５】
前記第２電極の電圧を前記第８電圧まで漸進的に増加させる期間中に、少なくとも一部の期間で、前記第３電極に前記第１電圧より高い第１０電圧を印加することを特徴とする請求項４に記載のプラズマ表示装置の駆動方法。
【請求項６】
前記第２サブフィールドは、前記第１サブフィールドに連続するサブフィールドであり、前記第２サブフィールドのアドレス期間は、前記第１サブフィールドの維持期間に連続する期間であることを特徴とする請求項１〜５のいずれかに記載のプラズマ表示装置の駆動方法。
【請求項７】
前記第２サブフィールドのアドレス期間では、前記第１サブフィールドの維持期間で維持放電されたセルの中で、前記第２サブフィールドで発光しない放電セルが選択されることを特徴とする請求項６に記載のプラズマ表示装置の駆動方法。
【請求項８】
前記第３電圧と前記第４電圧とは同一な大きさで位相が反対であり、前記第６電圧と前記第７電圧とは同一な大きさで位相が反対であり、前記第３電圧と前記第７電圧とは大きさ及び位相が同一であり、前記第４電圧と前記第６電圧とは大きさ及び位相が同一であることを特徴とする請求項１〜７のいずれかに記載のプラズマ表示装置の駆動方法。
【請求項９】
前記第１サブフィールドの維持期間では、前記第３電圧を有する維持放電パルスを前記第２電極に最初に印加し、前記第２サブフィールドの維持期間では、前記第６電圧を有する維持放電パルスを前記第２電極に最初に印加することを特徴とする請求項１〜８のいずれかに記載のプラズマ表示装置の駆動方法。
【請求項１０】
前記第１サブフィールドの維持期間では、前記第３電圧を有する維持放電パルスを前記第２電極に最後に印加することを特徴とする、請求項９に記載のプラズマ表示装置の駆動方法。
【請求項１１】
前記第２サブフィールドの維持期間で、前記第２電極に最初に印加される維持放電パルスの幅は、前記第２サブフィールドの維持期間で印加される他の維持放電パルスの中の少なくとも一つの維持放電パルスの幅より広いことを特徴とする請求項９または１０に記載のプラズマ表示装置の駆動方法。
【請求項１２】
複数の第１電極と、複数の第２電極と、前記第１電極及び前記第２電極と交差する方向に形成される複数の第３電極と、を有するプラズマ表示パネルと、
前記第２電極及び前記第３電極に、前記プラズマ表示パネルが映像を表示するための駆動波形を印加し、映像が表示される間は前記第１電極を１番電圧でバイアスする駆動ボードと、
前記プラズマ表示パネルと対向するシャーシベースと、
を備え、
前記駆動ボードは、第１サブフィールドのアドレス期間では前記第２電極に第１パルス幅を有する第１走査パルスを印加して前記第１サブフィールドで発光する放電セルを選択し、第２サブフィールドのアドレス期間では前記第２電極に前記第１パルス幅より狭い第２パルス幅を有する第２走査パルスを印加して前記第２サブフィールドで発光しない放電セルを選択することを特徴とするプラズマ表示装置。
【請求項１３】
前記第２走査パルスの電圧は、前記第１走査パルスの電圧より高いことを特徴とする請求項１２に記載のプラズマ表示装置。
【請求項１４】
前記駆動ボードは、前記第１サブフィールドの維持期間で前記第２電極に２番電圧と前記２番電圧より低い３番電圧とを交互に印加し、前記第２サブフィールドの維持期間で前記３番電圧と前記４番電圧とを交互に印加することを特徴とする請求項１２または１３に記載のプラズマ表示装置。
【請求項１５】
前記２番電圧及び前記３番電圧は、互いに同一な大きさを有して位相が反対であることを特徴とする請求項１４に記載のプラズマ表示装置。
【請求項１６】
前記駆動ボードは、前記第１サブフィールドのリセット期間で前記第２電極の電圧を５番電圧まで漸進的に増加させた後、６番電圧まで漸進的に減少させ、前記第２電極の電圧が前記５番電圧まで漸進的に増加するうちの少なくとも一部期間で前記第３電極に前記１番電圧より高い７番電圧を印加することを特徴とする請求項１２〜１５のいずれかに記載のプラズマ表示装置。
【請求項１７】
前記第２サブフィールドは前記第１サブフィールドに連続するサブフィールドであり、前記第２サブフィールドのアドレス期間は前記第１サブフィールドの維持期間に連続する期間であることを特徴とする請求項１２〜１６のいずれかに記載のプラズマ表示装置。
【請求項１８】
前記第２サブフィールドのアドレス期間では、前記第１サブフィールドが維持期間の際に維持放電されたセルの中から前記第２サブフィールドで発光しない放電セルが選択されることを特徴とする請求項１７に記載のプラズマ表示装置。
【請求項１９】
前記駆動ボードは、前記第１サブフィールドの維持期間では前記２番電圧を有する維持放電パルスを前記第２電極に最初及び最後に印加し、前記第２サブフィールドの維持期間では前記３番電圧を有する維持放電パルスを前記第２電極に最初に印加することを特徴とする請求項１４〜１８のいずれかに記載のプラズマ表示装置。
【請求項２０】
前記１番電圧は、接地電圧であることを特徴とする請求項１２〜１９のいずれかに記載のプラズマ表示装置。
【発明の詳細な説明】
【技術分野】
【０００１】
本発明は、交流型のプラズマ表示装置及びその駆動方法に関する。
【背景技術】
【０００２】
プラズマ表示装置は、気体放電によって生成されたプラズマを利用して文字または映像を表示する表示装置であって、その大きさによって数十から数百万個以上の画素（放電セル）がマトリックス形態に配列されている。このようなプラズマ表示装置は印加される駆動電圧波形の形態と放電セルの構造によって直流型と交流型とに区分される。
【０００３】
直流型プラズマ表示装置は、電極が放電空間にそのまま露出されていて、電圧が印加される間に電流が放電空間にそのまま流れるため、電流制限のための抵抗を作らなければならない短所がある。これに反し、交流型プラズマ表示装置では、電極を誘電体層が覆っていて自然なキャパシタンス成分の形成で電流が制限されるため、放電時にイオンの衝撃から電極が保護されるので、直流型に比べて寿命が長いという長所がある。
【０００４】
一般に交流型プラズマ表示装置は、一つのフレームが複数のサブフィールドに分割されて駆動され、各サブフィールドはリセット期間、アドレス期間及び維持期間を有している。リセット期間は放電セルにアドレシング動作が円滑に行われるようにするために、各放電セルの状態を初期化する期間であり、アドレス期間はパネルで点灯される放電セルと点灯されない放電セルを選択して点灯される放電セル（アドレシングされたセル）に壁電荷を積む動作を行う期間である。維持期間は点灯されるセルに実際に映像を表示するための放電を行う期間である。
【０００５】
このような動作を行うために、維持期間では走査電極と維持電極とに交互に維持放電パルスが印加され、リセット期間とアドレス期間では走査電極にリセット波形と走査波形が印加される。したがって、走査電極を駆動するための走査駆動ボードと維持電極を駆動するための維持駆動ボードが別個に存在しなければならない。このように駆動ボードが別に存在すればシャーシベースに二つの駆動ボードを実装することによる装置の大型化の問題点があり、二つの駆動ボードを実装することによって原価が増加する。
【０００６】
そのため、二つの駆動ボードを一つに統合して走査電極の一端に形成し、維持電極の一端を長く伸ばして、統合した駆動ボードに連結する方法が提案された。
【発明の開示】
【発明が解決しようとする課題】
【０００７】
しかし、上記のように二つの駆動ボードを統合すると、長く延長された維持電極で形成されるインピーダンス成分が大きくなるという問題点がある。
【０００８】
そこで、本発明は、このような問題に鑑みてなされたもので、その目的とするところは、走査電極及び維持電極を駆動する統合ボードのインピーダンス成分増大の不具合を解消し、装置を小型化することができるプラズマ表示装置及びその駆動方法を提供することにある。
【課題を解決するための手段】
【０００９】
上記課題を解決するために、本発明のある観点によれば、複数の第１電極と、複数の第２電極と、第１電極及び第２電極と交差する方向に形成される複数の第３電極と、を備えるプラズマ表示装置を駆動するプラズマ表示装置の駆動方法において；第１サブフィールドのアドレス期間で、第１電極を第１電圧でバイアスした状態で、第２電極に第２電圧を有する第１走査パルスを印加して、第１サブフィールドで発光する放電セルを選択する段階と、第１サブフィールドの維持期間で、第１電極を第１電圧でバイアスした状態で、第２電極に第３電圧及び第３電圧より低い第４電圧を交互に印加する段階と、第２サブフィールドのアドレス期間で、第１電極を第１電圧でバイアスした状態で、第２電極に第２電圧より高い第５電圧を有する第２走査パルスを印加して、第２サブフィールドで発光しない放電セルを選択する段階と、第２サブフィールドの維持期間で、第１電極を第１電圧でバイアスした状態で、第２電極に第６電圧及び第６電圧より高い第７電圧を交互に印加する段階と、を含むことを特徴とするプラズマ表示装置の駆動方法が提供される。
【００１０】
このように、第１電極を第１電圧にバイアスした状態にしておき、第１電極を基準電圧にして第２電極に印加される駆動波形のみでリセット動作、アドレス動作及び維持放電動作を行うことができるので、第１電極を駆動する駆動ボードを除去することができ、第１電極を延長する必要もなく、装置を小型化することができる。
【００１１】
また、従来の駆動方法においては、アドレス期間では、点灯される放電セルにアドレス放電を発生させて壁電荷を積む、書き込みアドレス動作を行うものであり、点灯される放電セルに壁電荷を積むためには多少時間がかかっていた。最近はプラズマ表示装置がさらに大型化されて走査電極ラインの数が増加する傾向にあるので、従来のアドレス方式で壁電荷を積むアドレス動作を行う場合には、アドレス期間が長くなる問題点があった。しかし、本発明では、第１サブフィールドで維持放電され、第２サブフィールドで発光しない放電セルについて、壁電荷を削除する削除アドレス期間を通じてアドレス動作を行うことができる。
【００１２】
ここで、第１サブフィールドで維持放電され、第２サブフィールドで発光しない放電セルにおいて、形成されている壁電荷を削除するためには、放電によって壁電荷が積まれないようにしなければならないので、第２走査パルスの幅は、第１走査パルスの幅より狭くするとよい。これにより、走査パルス幅を短くしてアドレス期間を短縮でき、高速のアドレス動作を行うことができる。
【００１３】
また、第５電圧を第４電圧より低く設定すると、発光しない放電セルで誤放電が発生することがあるため、第５電圧は、第４電圧より高くするとよい。
【００１４】
また、第１サブフィールドのリセット期間で、第１電極を第１電圧でバイアスした状態で、第２電極の電圧を第８電圧まで漸進的に増加させた後、第９電圧まで漸進的に減少させることができる。漸進的に増加させることにより、放電セルに微弱な放電が起こりながら外部から印加された電圧と放電セルの壁電圧の合計が放電開始電圧状態を維持するように壁電荷が形成される。また、リセット期間の下降期間でも、第２電極の電圧が減少する間に微弱な放電が起こりながら壁電荷が消去される。
【００１５】
また、第２電極の電圧を第８電圧まで漸進的に増加させる期間中に、少なくとも一部の期間で、第３電極に第１電圧より高い第１０電圧を印加することができる。これにより、第３電極と第２電極との間の電圧が小さくなるので、第１電極と第２電極との間の電圧が、第３電極と第２電極との間の電圧より先に放電開始電圧を超えて弱放電が発生することになり、プライミング粒子が形成された状態で第３電極と第２電極との間の電圧が放電開始電圧を超えるので、第３電極と第２電極との間の放電遅延が減少し、強放電が発生せず、維持期間における誤放電を防止することができる。
【００１６】
さらに、第２サブフィールドは、第１サブフィールドに連続するサブフィールドであり、第２サブフィールドのアドレス期間は、第１サブフィールドの維持期間に連続する期間であることができる。また、第２サブフィールドのアドレス期間では、第１サブフィールドの維持期間で維持放電されたセルの中で、第２サブフィールドで発光しない放電セルが選択されることができ、壁電荷を積むアドレス動作を行わずに壁電荷を削除するアドレス動作を行うことにより、走査パルス時間を短縮することができる。こうして、第２サブフィールドでは、リセット期間をなくすことができ、フィールド期間を短縮する効果や表示性能を高める効果がある。
【００１７】
第３電圧と第４電圧とは同一な大きさで位相が反対であり、第６電圧と第７電圧とは同一な大きさで位相が反対であり、第３電圧と第７電圧とは大きさ及び位相が同一であり、第４電圧と第６電圧とは大きさ及び位相が同一であることができる。こうして、第２電極と第１電極とに交互に同じ大きさの維持放電パルスが印加され、維持放電が行われる。
【００１８】
第１サブフィールドの維持期間では、第３電圧を有する維持放電パルスを第２電極に最初に印加し、第２サブフィールドの維持期間では、第６電圧を有する維持放電パルスを第２電極に最初に印加する。これによって第１サブフィールドで維持放電されたセルの中の第２サブフィールドの削除のアドレス期間で選択されなかった放電セルは、維持放電が発生する。
【００１９】
第１サブフィールドの維持期間では、第３電圧を有する維持放電パルスを第２電極に最後に印加する。これにより、第２電極に（−）壁電荷が形成され、第１電極と第３電極とに（＋）壁電荷が形成される。
【００２０】
第２サブフィールドの維持期間で、第２電極に最初に印加される維持放電パルスの幅は、第２サブフィールドの維持期間で印加される他の維持放電パルスの中の少なくとも一つの維持放電パルスの幅より広い。これにより、安定な維持放電を確保することができる。
【００２１】
上記課題を解決するために、本発明の別の観点によれば、複数の第１電極と、複数の第２電極と、第１電極及び第２電極と交差する方向に形成される複数の第３電極と、を有するプラズマ表示パネルと、第２電極及び第３電極に、プラズマ表示パネルが映像を表示するための駆動波形を印加し、映像が表示される間は第１電極を１番電圧でバイアスする駆動ボードと、プラズマ表示パネルと対向するシャーシベースと、を備え、駆動ボードは、第１サブフィールドのアドレス期間では第２電極に第１パルス幅を有する第１走査パルスを印加して第１サブフィールドで発光する放電セルを選択し、第２サブフィールドのアドレス期間では第２電極に第１パルス幅より狭い第２パルス幅を有する第２走査パルスを印加して第２サブフィールドで発光しない放電セルを選択することを特徴とするプラズマ表示装置が提供される。
【００２２】
このように、第１電極を１番電圧にバイアスした状態にしておき、第１電極を基準電圧にして第２電極に印加される駆動波形のみでリセット動作、アドレス動作及び維持放電動作を行うことができるので、第１電極を駆動する駆動ボードを除去することができ、第１電極を延長する必要もなく、装置を小型化することができる。
【００２３】
ここで、第２走査パルスの電圧は、第１走査パルスの電圧より高くする。第２走査パルスの電圧が第１走査パルスの電圧より低ければ、第１サブフィールドで発光しなかった放電セルにおいて、第２走査パルスの電圧が印加される時に誤放電が発生することがあるためである。
【００２４】
駆動ボードは、第１サブフィールドの維持期間で第２電極に２番電圧と２番電圧より低い３番電圧とを交互に印加し、第２サブフィールドの維持期間で３番電圧と４番電圧とを交互に印加することができる。
【００２５】
２番電圧及び３番電圧は、互いに同一な大きさを有して位相が反対であることができる。こうして、第２電極と第１電極とに交互に同じ大きさの維持放電パルスが印加され、維持放電が行われる。
【００２６】
駆動ボードは、第１サブフィールドのリセット期間で第２電極の電圧を５番電圧まで漸進的に増加させた後、６番電圧まで漸進的に減少させ、第２電極の電圧が５番電圧まで漸進的に増加するうちの少なくとも一部期間で第３電極に１番電圧より高い７番電圧を印加する。
【００２７】
漸進的に増加させることにより、放電セルに微弱な放電が起こりながら外部から印加された電圧と放電セルの壁電圧の合計が放電開始電圧状態を維持するように壁電荷が形成される。また、リセット期間の下降期間でも、第２電極の電圧が減少する間に微弱な放電が起こりながら壁電荷が消去される。また、第３電極に１番電圧より高い７番電圧を印加することにより、第３電極と第２電極との間の電圧が小さくなるので、第１電極と第２電極との間の電圧が、第３電極と第２電極との間の電圧より先に放電開始電圧を超えて弱放電が発生することになり、プライミング粒子が形成された状態で第３電極と第２電極との間の電圧が放電開始電圧を超えるので、第３電極と第２電極との間の放電遅延が減少し、強放電が発生せず、維持期間における誤放電を防止することができる。
【００２８】
また、第２サブフィールドは第１サブフィールドに連続するサブフィールドであり、第２サブフィールドのアドレス期間は第１サブフィールドの維持期間に連続する期間であることができる。また、第２サブフィールドのアドレス期間では、第１サブフィールドが維持期間の際に維持放電されたセルの中から第２サブフィールドで発光しない放電セルが選択され、壁電荷を積むアドレス動作を行わずに壁電荷を削除するアドレス動作を行うことにより、走査パルス時間を短縮することができる。こうして、第２サブフィールドでは、リセット期間をなくすことができ、フィールド期間を短縮する効果や表示性能を高める効果がある。
【００２９】
駆動ボードは、第１サブフィールドの維持期間では２番電圧を有する維持放電パルスを第２電極に最初及び最後に印加し、第２サブフィールドの維持期間では第３電圧を有する維持放電パルスを第２電極に最初に印加する。これによって第１サブフィールドで維持放電されたセルの中の第２サブフィールドの削除のアドレス期間で選択されなかった放電セルは、維持放電が発生する。
【００３０】
ここで、１番電圧は、接地電圧であることができる。
【発明の効果】
【００３１】
以上詳述したように本発明によれば、維持電極を一定の電圧でバイアスした状態とし、走査電極にのみ駆動波形を印加することにより、維持電極を駆動するボードを除去することができ、原価を低減することができる。また、所定のサブフィールドで、削除アドレス期間を通じてアドレス動作を行うことにより、アドレス期間が短縮できて高速のアドレス動作を行うことができる。
【発明を実施するための最良の形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
また、本実施の形態で言及される壁電荷とは、セルの壁（例えば、誘電体層）上で各電極に近く形成される電荷のことを言う。そして、壁電荷は実際に電極自体に接触はしないが、ここでは電極に形成される、蓄積される、または、積まれる、のように説明する。また、壁電圧は、壁電荷によってセルの壁に形成される電位差のことを言う。
【００３４】
（第１の実施の形態）
以下では本実施の形態によるプラズマ表示装置及びその駆動方法について図面を参照して詳細に説明する。まず、本実施の形態によるプラズマ表示装置の概略的な構造について図１〜図３を参照して詳細に説明する。図１はプラズマ表示装置の分解斜視図であり、図２はプラズマ表示パネルの概略的な説明概念図であり、図３はシャーシベースの概略的な平面図である。
【００３５】
図１に示したように、本実施の形態によるプラズマ表示装置は、プラズマ表示パネル１０、シャーシベース２０、前面ケース３０及び後面ケース４０を備えている。シャーシベース２０は、プラズマ表示パネル１０の映像が表示される面の反対側に配置されてプラズマ表示パネル１０と結合する。前面ケース３０及び後面ケース４０は、プラズマ表示パネル１０の前面に、及びシャーシベース２０の後面に、各々配置されて、プラズマ表示パネル１０及びシャーシベース２０と結合してプラズマ表示装置を形成する。
【００３６】
図２に示したように、本実施の形態によるプラズマ表示パネル１０は、図面上縦方向に伸びている複数のアドレス電極Ａ１〜Ａｍ（第３電極）、横方向（縦方向に交差する方向）に伸びている複数の走査電極Ｙ１〜Ｙｎ（第２電極）及び複数の維持電極Ｘ１〜Ｘｎ（第１電極）を有している。維持電極Ｘ１〜Ｘｎは、各走査電極Ｙ１〜Ｙｎに対応して形成され、一般にその一端が互いに共通に連結されている。
【００３７】
そしてプラズマ表示パネル１０は、維持及び走査電極Ｘ１〜Ｘｎ、Ｙ１〜Ｙｎが配列された絶縁基板（図示せず）とアドレス電極Ａ１〜Ａｍとが配列された絶縁基板（図示せず）を有している。二つの絶縁基板は、走査電極Ｙ１〜Ｙｎとアドレス電極Ａ１〜Ａｍ、及び、維持電極Ｘ１〜Ｘｎとアドレス電極Ａ１〜Ａｍが、各々直交するように放電空間を間に置いて対向配置されている。この時、アドレス電極Ａ１〜Ａｍと、維持電極Ｘ１〜Ｘｎ及び走査電極Ｙ１〜Ｙｎとの交差部にある放電空間がセル１２を形成する。
【００３８】
図３に示したように、シャーシベース２０には、プラズマ表示パネル１０の駆動に必要なボード１００〜５００が形成されている。アドレスバッファーボード１００はシャーシベース２０の上部及び下部に各々形成されており、単一ボードからなっても、複数のボードからなっても良い。
【００３９】
図３ではデュアル駆動をするプラズマ表示装置を例として説明しているが、シングル駆動の場合、アドレスバッファーボード１００はシャーシベース２０の上部及び下部のうちのある１ケ所に配置される。このようなアドレスバッファーボード１００は映像処理及び制御ボード４００からアドレス駆動制御信号を受信して表示しようとする放電セルを選択するための電圧を各アドレス電極Ａ１〜Ａｍに印加する。
【００４０】
走査駆動ボード２００は、シャーシベース２０の左側に配置されており、走査駆動ボード２００は、走査バッファーボード３００を経て走査電極Ｙ１〜Ｙｎに電気的に連結されており、維持電極Ｘ１〜Ｘｎは、一定の電圧でバイアスされている。走査バッファーボード３００は、アドレス期間で走査電極Ｙ１〜Ｙｎを順次に選択するための電圧を走査電極Ｙ１〜Ｙｎに印加する。ここで、アドレスバッファーボード１００及び走査駆動ボード２００を合わせて駆動ボードとする。
【００４１】
走査駆動ボード２００は、映像処理及び制御ボード４００から駆動信号を受信して走査電極Ｙ１〜Ｙｎに駆動電圧を印加する。また、図３では走査駆動ボード２００と走査バッファーボード３００とが、シャーシベース２０の左側に配置されると示したが、両方ともシャーシベース２０の右側に配置されても良い。また、走査バッファーボード３００は、走査駆動ボード２００と一体型に形成されても良い。
【００４２】
映像処理及び制御ボード４００は、外部から映像信号を受信してアドレス電極Ａ１〜Ａｍ駆動に必要な制御信号と、走査Ｙ１〜Ｙｎ及び維持電極Ｘ１〜Ｘｎ駆動に必要な制御信号とを生成して、各々アドレスバッファーボード１００と走査駆動ボード２００とに印加する。電源ボード５００は、プラズマ表示装置の駆動に必要な電源を供給する。映像処理及び制御ボード４００と電源ボード５００とは、シャーシベース２０の中央に配置されても良い。
【００４３】
次に、図４を参照して第１の実施の形態によるプラズマ表示装置の駆動波形について説明する。図４は本実施の形態によるプラズマ表示装置の駆動波形を示す図面である。以下で便宜上一つの放電セルを形成する走査電極（以下、Ｙ電極と言う）、維持電極（以下、Ｘ電極と言う）及びアドレス電極（以下、Ａ電極と言う）に印加される駆動波形についてのみ説明する。
【００４４】
そして、図４の駆動波形で、Ｙ電極に印加される電圧は、走査駆動ボード２００と走査バッファーボード３００とから供給され、Ａ電極に印加される電圧は、アドレスバッファーボード１００から供給される。また、Ｘ電極は基準電圧（図４では接地電圧：第１電圧、１番電圧）でバイアスされているので、Ｘ電極に印加される電圧については説明を省略する。
【００４５】
本実施の形態による駆動方法は、一つのフレームは複数のサブフィールドに分けて駆動され、図４では便宜上複数のサブフィールドのうちの第１サブフィールドと第２サブフィールドから印加される駆動波形のみを示した。そして残りサブフィールドは第１サブフィールドのような駆動波形が印加されても、第２サブフィールドのような駆動波形が印加されても良い。
【００４６】
第１サブフィールドは、リセット期間、書込みアドレス期間及び維持期間を含み、第２サブフィールドは、削除アドレス期間及び維持期間を含む。ここで、第１サブフィールドのアドレス期間は書込みアドレス期間であり、第１サブフィールドで発光する放電セルにアドレス電圧Ｖａを印加して壁電荷を積む動作を行うアドレス期間のことを言い、第２サブフィールドのアドレス期間は削除アドレス期間であり、第２サブフィールドで発光しない放電セルにアドレス電圧Ｖａを印加して壁電荷を削除するアドレス期間のことを言う。
【００４７】
リセット期間の上昇期間では、Ａ電極を基準電圧（図４で０Ｖ）に維持した状態でＹ電極の電圧をＶｓ電圧からＶｓｅｔ電圧（第８電圧、５番電圧）まで漸進的に増加させる。図４ではＹ電極の電圧がランプ形態に増加すると示した。Ｙ電極の電圧が増加する間にＹ電極とＸ電極との間、及びＹ電極とＡ電極との間で微弱な放電（以下、弱放電と言う）が起こりながら、Ｙ電極には（−）壁電荷が形成され、Ｘ及びＡ電極には（＋）壁電荷が形成される。
【００４８】
そして電極の電圧が図４のように漸進的に変わる場合には、放電セルに微弱な放電が起こりながら外部から印加された電圧と放電セルの壁電圧の合計が放電開始電圧状態を維持するように壁電荷が形成される。このような原理についてはウェーバー（Ｗｅｂｅｒ）の米国登録特許第５７４５０８６号明細書に開示されている。リセット期間では全ての放電セル状態を初期化しなければならないので、Ｖｓｅｔ電圧は全ての条件のセルで放電が起こり得る程度の高い電圧である。また、Ｖｓ電圧は一般に維持期間でＹ電極に印加される電圧と同じ電圧であり、Ｙ電極とＸ電極との間の放電開始電圧より低い電圧である。
【００４９】
リセット期間の下降期間では、Ａ電極を基準電圧に維持した状態でＹ電極の電圧をＶｓ電圧からＶｎｆ電圧（第９電圧、６番電圧）まで漸進的に減少させる。その結果、Ｙ電極の電圧が減少する間にＹ電極とＸ電極との間及びＹ電極とＡ電極との間で微弱な放電が起こりながら、Ｙ電極に形成された（−）壁電荷とＸ電極及びＡ電極に形成された（＋）壁電荷とが消去される。
【００５０】
一般にＶｎｆ電圧の大きさは、Ｙ電極とＸ電極との間の放電開始電圧近くに設定される。その結果、Ｙ電極とＸ電極との間の壁電圧がほとんど０Ｖになって、書込みアドレス期間でアドレス放電が起こらない放電セルが維持期間で誤放電することを防止することができる。そしてＡ電極は基準電圧に維持されているのでＶｎｆ電圧レベルによってＹ電極とＡ電極との間の壁電圧が決定される。
【００５１】
次に、第１サブフィールドの書込みアドレス期間で、第１サブフィールドで点灯されるセルを選択するためにＹ電極とＡ電極に、各々、ＶｓｃＬ１電圧（第２電圧）を有する走査パルス（第１走査パルス）、Ｖａ電圧を有するアドレスパルスを印加する。そして選択されないＹ電極はＶｓＬ１電圧より高いＶｓｃＨ１電圧でバイアスし、点灯されないセルのＡ電極には基準電圧を印加する。
【００５２】
このような動作を行うために、走査バッファーボード３００は、走査電極Ｙ１〜ＹｎのうちのＶｓｃＬ１の走査パルスが印加されるＹ電極を選択し、例えばシングル駆動では縦方向に配列された順にＹ電極を選択することができる。そしてアドレスバッファーボード１００は一つのＹ電極が選択される時、当該Ｙ電極によって形成されたセルを通過するアドレス電極Ａ１〜Ａｍの中でＶａ電圧のアドレスパルスが印加されるセルを選択する。
【００５３】
具体的に、まず、第１行の走査電極（図２のＹ１）にＶｓｃＬ１電圧の走査パルスが印加されると同時に、第１行のうちの第１サブフィールドで点灯されるセルに位置するＡ電極にＶａ電圧のアドレスパルスを印加する。その後、第１行のＹ電極とＶａ電圧が印加されたＡ電極の間で放電が起こって、Ｙ電極に（＋）壁電荷、Ａ及びＸ電極に各々（−）壁電荷が形成される。その結果、Ｙ電極とＸ電極との間にＹ電極の電位がＸ電極の電位より高く壁電圧Ｖｗｘｙが形成される。
【００５４】
次に、第２行のＹ電極（図２のＹ２）にＶｓｃＬ１電圧の走査パルスを印加しながら、第２行のうちの表示しようとする放電セルに位置するＡ電極にＶａ電圧のアドレスパルスを印加する。その結果、上述したようにＶａ電圧が印加されたＡ電極と第２行のＹ電極によって形成される放電セルでアドレス放電が発生し放電セルに壁電荷が形成される。同様に、残り行のＹ電極に対しても順次にＶｓｃＬ１電圧の走査パルスを印加しながら、点灯されるセルに位置するＡ電極にＶａ電圧のアドレスパルスを印加して壁電荷を形成する。
【００５５】
このような書込みアドレス期間でＶｓｃＬ１電圧を一般的にＶｎｆ電圧と同一であるか低いレベルに設定し、Ｖａ電圧は基準電圧より高いレベルに設定される。次いで、ＶｓｃＬ１電圧とＶｎｆ電圧が同一である場合、Ｖａ電圧が印加される時に放電セルでアドレス放電が発生する理由について説明する。リセット期間でＶｎｆ電圧が印加される時、Ａ電極とＹ電極との間の壁電圧とＡ電極とＹ電極との間の外部印加電圧Ｖｎｆの合計はＡ電極とＹ電極との間の放電開始電圧Ｖｆａｙになる。
【００５６】
しかし、アドレス期間でＡ電極に０Ｖ印加され、Ｙ電極にＶｓｃＬ１（＝Ｖｎｆ）電圧が印加される場合に、Ａ電極とＹ電極との間にはＶｆａｙ電圧が形成されて放電が起こり得るが、一般にこの場合の放電遅延時間が走査パルス及びアドレスパルス幅より長いために放電が起こらない。そこで、Ａ電極にＶａ電圧が印加され、Ｙ電極にＶｓｃＬ１（＝Ｖｎｆ）電圧が印加される場合には、Ａ電極とＹ電極との間にＶｆａｙ電圧より高い電圧が形成されて放電遅延時間が走査パルスの幅Ｔ１（第１パルス幅）より減って放電が起こり得る。この時、アドレス放電をさらによく起こすためにＶｓｃＬ１電圧をＶｎｆ電圧より低く設定することができる。
【００５７】
一方、第１サブフィールドの書込みアドレス期間で、アドレス放電を発生させて選択しようとする放電セルに壁電荷を形成するために、走査パルスの幅Ｔ１を適切に設定しなければならない。つまり、ＶｓｃＬ１電圧の走査パルスとＶａ電圧のアドレスパルスを各々Ｙ電極とＡ電極に印加してアドレス放電を発生させた場合、Ｙ電極に（＋）壁電荷、Ｘ電極及びＡ電極に（−）壁電荷を形成するためにはアドレス放電によって生成される電荷が当該電極に積まれる時間が必要である。
【００５８】
もし、走査パルスの幅Ｔ１が所定の時間より短い場合にはアドレス放電によって壁電荷が積まれなく無くなり、走査パルスの幅Ｔ１が所定の時間より長すぎる場合にはアドレス期間が長くなって維持期間に割り与えられる期間が短くなるため輝度が減少することがある。したがって、走査パルスの幅Ｔ１はアドレス放電によって壁電荷が形成できるだけの大きさに適切に設定しなければならない。そしてＶａ電圧のアドレスパルス幅は、走査パルスの幅Ｔ１と同じ幅に設定する。
【００５９】
次に、書込みアドレス期間でアドレス放電が起こって選択された放電セルでは、Ｘ電極に対するＹ電極の壁電圧Ｖｗｘｙが高い電圧で形成されているので、維持期間ではＹ電極に先にＶｓ電圧（第３電圧、２番電圧）、次に−Ｖｓ電圧（第４電圧、３番電圧）を有するパルスを交互に印加してＹ電極とＸ電極との間で維持放電を起こす。ここで、第１サブフィールドの維持期間で維持放電が発生する放電セルは、書込みアドレス期間でＹ電極とＡ電極とに各々ＶｓｃＬ１電圧、Ｖａ電圧が印加されて選択されたセルであり、書込みアドレス期間で選択されなかったセルは壁電荷が適切に形成されなかったために維持放電が発生しない。
【００６０】
この時、Ｖｓ電圧はＹ電極とＸ電極との間の放電開始電圧Ｖｆｘｙよりは低く、（Ｖｓ＋Ｖｗｘｙ)電圧は、Ｖｆｘｙ電圧より高く設定される。維持放電の結果、Ｙ電極に（−）壁電荷が形成されＸ電極とＡ電極に（＋）壁電荷が形成されて、Ｙ電極に対するＸ電極の壁電圧Ｖｗｙｘが高い電圧で形成される。
【００６１】
次いで、Ｙ電極に対するＸ電極の壁電圧Ｖｗｙｘが高い電圧で形成されたので、Ｙ電極に−Ｖｓ電圧を有するパルスを印加してＹ電極とＸ電極との間に維持放電を起こす。その結果、Ｙ電極に（＋）壁電荷が形成され、Ｘ電極とＡ電極に（−）壁電荷が形成されてＹ電極にＶｓ電圧が印加される時に維持放電が発生できる状態となる。その後、走査電極ＹにＶｓ電圧の維持放電パルスを印加する過程と、維持電極ＸにＶｓ電圧の維持放電パルスを印加する過程は、第１サブフィールドが表示する加重値に対応する回数だけ繰り返される。
【００６２】
次に、第２サブフィールドでは、リセット期間がなく、直ちに削除アドレス期間が位置する。第２サブフィールドの削除アドレス期間では、第１サブフィールドで選択されて維持放電されたセルの中の第２サブフィールドで発光しない放電セルに対応するＹ電極とＡ電極とに、各々、ＶｓｃＬ２電圧（第５電圧）を有する走査パルス（第２走査パルス）、Ｖａ電圧を有するアドレスパルスを印加する。
【００６３】
そして選択されなかったＹ電極はＶｓｃＬ２電圧より高いＶｓｃＨ２電圧でバイアスし、第２サブフィールドで発光する放電セルのＡ電極には基準電圧を印加する。つまり、削除アドレス期間では第１サブフィールドで発光した放電セルの中の第２サブフィールドで発光しない放電セルにアドレス放電を発生させて第１サブフィールドの維持期間で形成された壁電荷を削除する。
【００６４】
このような動作を行うために、走査バッファーボード３００は、Ｙ電極Ｙ１〜ＹｎのうちのＶｓｃＬ２電圧の走査パルスが印加されるＹ電極を選択し、アドレスバッファーボード１００は、一つのＹ電極が選択される時に当該Ｙ電極によって形成された放電セルを通過するＡ電極Ａ１〜Ａｍの中でＶａ電圧のアドレスパルスが印加される放電セルを選択する。
【００６５】
具体的に、まず、第１行の走査電極（図２のＹ１）にＶｓｃＬ２電圧の走査パルスが印加されると同時に、第１行のうちの第２サブフィールドで点灯されない放電セルに位置するＡ電極にＶａ電圧のアドレスパルスを印加する。その結果、ＶｓｃＬ２電圧が印加される第１行のＹ電極とＶａ電圧が印加されたＡ電極との間でアドレス放電が発生し、第１サブフィールドで発光した放電セルで形成された壁電荷が消去される。
【００６６】
第１サブフィールドの維持期間で最後維持放電パルスとしてＹ電極にＶｓ電圧を印加するので、Ｙ電極には（−）壁電荷が形成され、Ｘ電極及びＡ電極には（＋）壁電荷が形成される。これによってＹ電極に対するＡ電極の壁電圧Ｖｗｙａが高く設定され、Ｙ電極にＶｓｃＬ２電圧、Ａ電極にＶａ電圧を印加する場合、アドレス放電が発生する。
【００６７】
ここで、アドレス放電による壁電荷の消去はＶｓｃＬ２電圧のレベル及びパルス幅Ｔ２と関係するが、これについては以下で説明する。その結果、第１行のＹ電極のうちのＶｓｃＬ２電圧とＶａ電圧が印加された放電セルには第１サブフィールドの維持放電によって形成された壁電荷が消去される。次いで、第２行のＹ電極（図２のＹ２）にＶｓｃＬ２電圧の走査パルスを印加しながら、第２行のうちの第２サブフィールドで点灯されない放電セルに位置するＡ電極にＶａ電圧のアドレスパルスを印加する。
【００６８】
その結果、上述したようにＶａ電圧が印加されたＡ電極と第２行のＹ電極とによって形成される放電セルでアドレス放電が発生し、放電セルの壁電荷が消去される。同様に、残り行のＹ電極に対しても順次にＶｓｃＬ２電圧の走査パルスを印加しながら、点灯されない放電セルに位置するＡ電極にＶａ電圧のアドレスパルスを印加して壁電荷を消去させる。
【００６９】
以下では、第２サブフィールドの削除アドレス期間における、第１サブフィールドで維持放電セルに形成された壁電荷を消すために設定しなければならないＶｓｃＬ２電圧のレベル及びパルス幅Ｔ２（第２パルス幅）について説明する。
【００７０】
まず、ＶｓｃＬ２電圧レベルは、第１サブフィールドの書込みアドレス期間から印加されたＶｓｃＬ１電圧レベルより高くなければならない（図４ではΔＶで示した）。もし、ＶｓｃＬ２電圧レベルがＶｓｃＬ１電圧レベルより低ければ、第１サブフィールドで発光しなかった放電セルからＶｓｃＬ２電圧が印加される時に誤放電が発生することがあるために、ＶｓｃＬ２電圧レベルはＶｓｃＬ１電圧レベルより高く設定する。
【００７１】
そして、第１サブフィールドで維持放電された放電セルの中で、第２サブフィールドで発光しない放電セルにＶｓｃＬ２電圧とＶａ電圧を印加して放電を発生させなければならないので、第１サブフィールドの維持期間で発光した放電セルで形成されたＹ電極に対するＡ電極の壁電圧Ｖｗｙａと（Ｖａ−ＶｓｃＬ）電圧の合計が放電開始電圧を超えるようにＶｓｃＬ２電圧を設定しなければならない。また、後述するように、もしＶｓｃＬ２電圧が−Ｖｓ電圧より低ければ、誤放電が発生する可能性が高いので、ＶｓｃＬ２電圧を−Ｖｓ電圧より高く設定しなければならない。
【００７２】
そして、ＶｓｃＬ２電圧の走査パルス幅Ｔ２は、ＶｓｃＬ１電圧の走査パルス幅Ｔ１より狭くなければならない。第２サブフィールドの削除アドレス期間で、ＶｓｃＬ２電圧とＶａ電圧とが印加され、第１サブフィールドで維持放電された放電セルに形成されている壁電荷を削除するためには、放電によって壁電荷が積まれないようにしなければならないので、ＶｓｃＬ２電圧の走査パルス幅Ｔ２をＶｓｃＬ１電圧の走査パルス幅Ｔ１より狭く設定する。
【００７３】
つまり、第１サブフィールドで維持放電されたセルに形成された壁電荷を第２サブフィールドの削除アドレス期間で削除するためには、アドレス放電によって生成される壁電荷が電極に積まれる時間を与えてはならないので、ＶｓｃＬ２電圧の走査パルス幅Ｔ２をＶｓｃＬ１電圧の走査パルス幅Ｔ１より狭く設定する。
【００７４】
一方、図４に示したように、第１サブフィールドの維持期間で最後の維持放電パルスをＹ電極に印加する。その結果、Ｙ電極に（−）壁電荷が形成され、Ｘ電極とＡ電極とに（＋）壁電荷が形成される。したがって、ＶｓｃＬ２電圧レベルは、−Ｖｓ電圧レベルより高く設定する。ＶｓｃＬ２電圧レベルを−Ｖｓ電圧レベルより低く設定すれば、Ｖａ電圧が印加されない放電セルで誤放電が発生することがあるためである。
【００７５】
上述したように、第２サブフィールドの削除アドレス期間では、選択されてアドレス放電された放電セルは壁電荷が消去されるために、第２サブフィールドの維持期間で発光せず、第２サブフィールドの削除アドレス期間後に壁電荷が存在する放電セルは、第１サブフィールドで維持放電された放電セルの中の第２サブフィールドの削除アドレス期間から選択されなかった放電セルとなる。
【００７６】
そして、第１サブフィールドの維持期間で維持放電された放電セルの中の第２サブフィールドの削除アドレス期間から選択されなかった放電セルは、第１サブフィールドの維持期間後の壁電荷状態を維持している。
【００７７】
一方、図４に示したように、第１サブフィールドの維持期間ではＹ電極にＶｓ電圧を有するパルスを最後に印加するので、第１サブフィールド維持期間後の壁電荷状態はＹ電極に(−)壁電荷が形成され、Ｘ電極及びＡ電極に(＋)壁電荷が形成される。したがって、図４に示したように、第２サブフィールドの維持期間では−Ｖｓ電圧を有するパルスをＹ電極に先に印加し、これによって第１サブフィールドで維持放電されたセルの中の第２サブフィールドの削除アドレス期間より選択されなかった放電セルは、維持放電が発生する。
【００７８】
そして第１サブフィールドで選択されて維持放電された放電セルの中の第２サブフィールドで発光する放電セルは、第１サブフィールド維持期間後、長時間後に第２サブフィールドの維持期間で維持放電が行われるので、壁電荷が損失されたりプライミング粒子が減少したりして安定な維持放電を確保することができない。
【００７９】
したがって、第２サブフィールドの維持期間で第１に印加される−Ｖｓ電圧（第６電圧）パルスの印加幅は、他の維持放電パルス幅より広く印加して安定な維持放電を確保することができる。次に、Ｙ電極にＶｓ電圧（第７電圧、４番電圧）の維持放電パルスと−Ｖｓ電圧の維持放電パルスとを交互に印加する過程は、第２サブフィールドが表示する加重値に対応する回数だけ繰り返す。
【００８０】
このように、第１の実施の形態では、Ｘ電極を基準電圧にバイアスした状態でＹ電極に印加される駆動波形のみでリセット動作、アドレス動作及び維持放電動作を行うことができる。したがって、Ｘ電極を駆動する駆動ボードを除去することができ、単にＸ電極を基準電圧にバイアスすれば良い。また、本実施の形態では所定のサブフィールドで、壁電荷を積まないで、削除することにより、削除アドレス期間を通じてアドレス動作を行うので、走査パルスの幅Ｔ２を縮小でき、高速のアドレス動作を行うことができる。
【００８１】
図４に示したように、第１の実施の形態では、第１サブフィールドのリセット期間下降期間でＹ電極に印加される最終電圧がＶｎｆ電圧に設定され、前述したように、この最終電圧Ｖｎｆは、Ｙ電極とＸ電極との間の放電開始電圧近くの電圧である。一般にＹ電極とＡ電極との間の放電開始電圧Ｖｆａｙが、Ｙ電極とＸ電極との間の放電開始電圧Ｖｆｘｙより低いので、下降期間の最終電圧Ｖｎｆでは壁電荷によるＹ電極の電位がＡ電極より高いのでＡ電極に対するＹ電極の壁電圧が正の電圧に設定できる。
【００８２】
そして第１サブフィールドの書込みアドレス期間でアドレス放電が起こらない放電セルは、維持放電も起こらなく第２サブフィールドでも選択されないので、このような壁電荷状態を維持し、壁電荷状態を維持しながら第１サブフィールドと同様な動作を行うサブフィールドのリセット期間でリセット動作が行われる。
【００８３】
このような状態の放電セルではＸ電極に対するＹ電極の壁電圧よりＡ電極に対するＹ電極の壁電圧が高いので、リセット期間の上昇期間でＹ電極の電圧が増加する時、Ａ電極とＹ電極との間の電圧が放電開始電圧Ｖｆａｙを超えた後、一定の期間が経過した後にＸ電極とＹ電極との間の電圧が放電開始電圧Ｖｆａｙを超える。
【００８４】
そして、リセット期間の上昇期間では、Ｙ電極に高い電圧が印加されるために、Ｙ電極が正極として作用し、Ａ電極とＸ電極が負極として作用する。放電セルにおける放電は陽イオンが負極に衝突する時に負極から放出される２次電子の量によって決められ、これをγプロセスと言う。一般にプラズマ表示パネルで、Ａ電極は色相表現のために蛍光体で覆われている反面、Ｘ電極とＹ電極は維持放電の効率のためにＭｇＯ成分の保護膜のように２次電子放出係数の高い物質で覆われている。
【００８５】
ところが、上昇期間でＡ電極とＹ電極との間の電圧が放電開始電圧Ｖｆａｙを超えても蛍光体で覆われているＡ電極が負極として作用するために、Ａ電極とＹ電極との間で、放電が遅延される。放電遅延によってＡ電極とＹ電極との間で実際に放電が起こる時点では、Ａ電極とＹ電極との間の電圧が放電開始電圧Ｖｆａｙさらに高い。
【００８６】
したがって、このような高い電圧によってＡ電極とＹ電極との間で弱放電でない強放電が発生することがある。このような強放電によってＸ電極とＹ電極との間でも強放電が起こって正常な上昇期間で生成される壁電荷より多量の壁電荷が放電セルに形成され、また、多量のプライミング粒子が生成できる。
【００８７】
その結果、下降期間で多量の壁電荷とプライミング粒子によって強放電が起こることがあり、これによって図５のようにＸ電極とＹ電極との間に壁電荷が十分に消去されないこともある。このような状態の放電セルはリセット期間終了後にもＸ電極とＹ電極との間に高い壁電圧が形成され、この壁電圧によって書込みアドレス期間でアドレス放電が起こらなくても維持期間でＸ電極とＹ電極との間で誤放電が起こることがある。このような誤放電を防止することができる実施の形態について図６を参照して詳細に説明する。
【００８８】
（第２の実施の形態）
図６は、第２の実施の形態によるプラズマ表示装置の駆動波形を示す説明図である。図６に示したように、本実施の形態による駆動波形は、リセット期間の上昇期間でＡ電極を一定の電圧でバイアスする点を除けば第１の実施の形態と同様である。
【００８９】
具体的には、リセット期間の上昇期間でＡ電極を一定の電圧（基準電圧より高い電圧：第１０電圧、７番電圧）でバイアスした状態で、Ｙ電極の電圧をＶｓ電圧からＶｓｅＴ電圧まで漸進的に増加させる。この時、Ａ電極のバイアス電圧として図６のようにＶａ電圧を使用すれば、追加的な電源を使わなくても良い。Ａ電極の電圧がＶａ電圧でバイアスした状態でＹ電極の電圧が増加すれば、Ａ電極とＹ電極との間の電圧が、第１の実施の形態に比べて小さく、Ｘ電極とＹ電極との間の電圧が、Ａ電極とＹ電極との間の電圧より先に放電開始電圧を超える。
【００９０】
その結果、Ｘ電極とＹ電極との間で先に弱放電が発生し、この弱放電によってプライミング粒子が形成された状態でＡ電極とＹ電極との間の電圧が放電開始電圧を超える。そしてこのプライミング粒子によって、Ａ電極とＹ電極との間では放電遅延が減少し、上述したような強放電が発生せず、弱放電が行われて所望の量の壁電荷が形成できる。したがって、リセット期間の下降期間でも強放電が起こらなくて維持期間における誤放電を防止することができる。
【００９１】
そして図６では、リセット期間の上昇期間の間にＡ電極を一定電圧でバイアスしたが、これとは異なって上昇期間の初期にのみＡ電極を一定の電圧でバイアスすることができる。前述したように、上昇期間で強放電が起こらないようにするためにはＡ電極とＹ電極との間の電圧がＸ電極とＹ電極との間の電圧より先に放電開始電圧を超えることを防止すれば良いので、上昇期間の初期にのみＡ電極を一定電圧でバイアスすることもできる。つまり、Ａ電極とＹ電極との間で弱放電が起こった後には、Ａ電極の電圧を再び基準電圧に設定することができる。
【００９２】
そしてＡ電極の電圧を漸進的に増加させることもできる。上昇期間でＹ電極の電圧が増加する時にＡ電極の電圧が共に増加すれば、Ａ電極電圧が基準電圧でバイアスされる時より、Ａ電極とＹ電極との間の電圧がさらに低くなるので、Ｘ電極とＹ電極との間で先に弱放電が起こることがある。
【００９３】
そしてＡ電極の電圧を増加させる期間は、上昇期間のうちの一部、または上昇期間全体であっても良い。また、Ａ電極の電圧を増加させずに、Ａ電極をフローティングすることもできる。Ａ電極とＹ電極によってキャパシタンス成分が形成されるので、Ｙ電極の電圧が増加する時にＡ電極がフローティングされれば、Ａ電極の電圧もＹ電極の電圧にしたがって増加する。したがって、図６の第２の実施の形態と同様な効果を出すことができる。そしてＡ電極のフローティング期間は、上昇期間のうちの一部または上昇期間全体であっても良い。
【００９４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９５】
本発明は、交流型のプラズマ表示装置及びその駆動方法に適用可能である。
【図面の簡単な説明】
【００９６】
【図１】第１の実施の形態によるプラズマ表示装置の分解斜視図である。
【図２】第１の実施の形態によるプラズマ表示パネルの概略的な説明図である。
【図３】第１の実施の形態によるシャーシベースの概略的な平面図である。
【図４】第１の実施の形態によるプラズマ表示装置の駆動波形を示す説明図である。
【図５】図４のリセット期間で強放電が起こった場合、セルの壁電荷状態を示す説明図である。
【図６】第２の実施の形態によるプラズマ表示装置の駆動波形を示す説明図である。
【符号の説明】
【００９７】
１０  プラズマ表示パネル
１２  放電セル
２０  シャーシベース
１００  アドレスバッファーボード
２００  走査駆動ボード
３００  走査バッファーボード
４００  映像処理及び制御ボード
５００  電源ボード
Ａ１〜Ａｍ  アドレス電極
Ｘ１〜Ｘｎ  維持電極
Ｙ１〜Ｙｎ  走査電極
【図１】
2006338010.tif 000003
【図２】
2006338010.tif 000004
【図３】
2006338010.tif 000005
【図４】
2006338010.tif 000006
【図５】
2006338010.tif 000007
【図６】
2006338010.tif 000008